(57)【要約】【課題】焼菓子の容器からの剥離性が良好で、かつ、焼菓子のしぼみを防止することができる食品用容器を提供する。【解決手段】容器状に形成されたカップ基材２の内面に部分的に剥離層３が設けられ、カップ基材２の外面の全体に保形層４が積層される。容器内面に設けられた剥離層３により、菓子と容器とがはがれやすい。菓子の形状をくずさないまま容易に容器から取り出すことができる。また、剥離層３は容器内面に部分的に設けられているので、この非剥離部分に菓子が付着する。したがって、加熱調理により膨らんだ菓子が低温化によりしぼみにくい。【選択図】図１
2007050917.tif 000002
【特許請求の範囲】
【請求項１】
容器内面に、収容される食品に対して好剥離性を有する剥離層が部分的に設けられたことを特徴とする加熱加工食品用容器。
【請求項２】
前記剥離層は、ＰＢＴからなることを特徴とする請求項１に記載の加熱加工食品用容器。
【請求項３】
容器の外表面に、保形性を有する保形層が積層されたことを特徴とする請求項１又は２に記載の加熱加工食品用容器。
【請求項４】
前記保形層が、ＰＢＴからなることを特徴とする請求項３に記載の加熱加工食品用容器。
【発明の詳細な説明】
【技術分野】
【０００１】
本発明は、マフィン、ケーキ、クッキー、蒸しパン等の加熱加工食品の生地を収容し加熱加工する食品用容器に関するものである。
【背景技術】
【０００２】
マフィン、ケーキ、クッキー等の菓子生地を収容し加熱加工する食品用容器としては、紙製の容器がある。菓子生地を容器内に流し込んだ後、オーブン等で加熱調理する。
【０００３】
しかしながら、加熱調理された菓子が容器内面に付着してしまい、容器から菓子をきれいに取り出すことができない。
【０００４】
そこで、容器内面の全体にＰＢＴ（ポリブチレンテレフタレート）等の合成樹脂からなる樹脂層が積層された食品用容器がある（特許文献１）。特許文献１記載の食品用容器は、樹脂層の性質により菓子との剥離性がよいため、菓子を容器からきれいに取り出すことができる。
【０００５】
【特許文献１】特開２０００−１０９１５７号公報（請求項１、段落００２２参照）
【発明の開示】
【発明が解決しようとする課題】
【０００６】
ところで、菓子生地は、加熱調理により膨らむが、加熱調理後は低温化に伴ってしぼんでしまう性質がある。特許文献１記載の容器は、容器内面の全体に樹脂層が積層されているので菓子との剥離性は良好であるが、その反面、菓子が容器内面に付着せず保持されないので、菓子のしぼみを防止することはできない。
【０００７】
そこで、本発明は、上記に鑑み、焼菓子の容器からの剥離性が良好で、かつ、焼菓子のしぼみを防止することができる食品用容器を提供することを目的とするものである。
【課題を解決するための手段】
【０００８】
上記目的を達成するため、本発明は、容器内面に、収容される食品に対して好剥離性を有する剥離層が部分的に設けられたことを特徴とする加熱加工食品用容器である。好剥離性とは、菓子等の収容される食品と剥離層表面とがはがれやすい性質のことである。容器内面に剥離層が設けられているので、菓子を容器から容易に取り出すことができる。また、剥離層は容器内面に部分的に設けられており、剥離層が設けられていない部分（以下、非剥離部分と称す）が存在する。この非剥離部分に菓子が付着する。加熱調理により膨らんだ菓子が低温化によりしぼもうとしても、菓子の表面と非剥離部分とが固定されているのでしぼみにくい。このように、本加熱加工食品用容器は、菓子との好剥離性を有するとともに、加熱調理後のしぼみを防止することができる。
【０００９】
剥離層としては、耐熱性があると共に菓子との好剥離性を有する合成樹脂、具体的にはＰＢＴ、シリコン樹脂が例示され、特にＰＢＴが好ましい。ＰＢＴは、後述のように保形性が高いので、容器の形状、すなわち菓子の形状が崩れないですむ。なお、他の材料を混合してもよい。また、剥離層の層の厚みとしては、たとえば１０〜３０ミクロン、好ましくは１６〜２０ミクロン、特に好ましくは１８ミクロンである。この範囲より薄くなると剥離性の効果に乏しく、この範囲より厚くしても効果に顕著な差異は認められず、また、容器内面の凹凸が大きくなってしまうので望ましくない。
【００１０】
剥離性としぼみ防止とを同時にかつ効果的に実現させるためには、剥離層の容器内面全体に対する面積の割合は、非剥離部分と同じか、それよりも大きいほうが好ましい。すなわち、剥離層の全体に対する面積の割合を５０〜９５％に設定するのが好ましい。また、剥離層は、部分的に設けられていればよいが、縁部以外に設けるのが好ましい。縁部とは、容器の縁付近の内面のことである。このような構成にすれば、非剥離部分が縁部に位置するので、容器と焼菓子との間に手を入れやすく、焼菓子を容器からはがしやすくなる。
【００１１】
また、容器の外表面に、保形性を有する保形層を積層するのが好ましい。保形層は、容器の外表面の全体に積層するのが好ましい。保形層としては、ＰＢＴ、ポリエチレンテレフタレート（ＰＥＴ）、シリコン樹脂等の熱安定性及び耐熱性の良好な合成樹脂、金属薄膜が例示されるが、特にＰＢＴが好ましい。ＰＢＴは、ＰＥＴなどの他の合成樹脂に比べて結晶化速度が早く、かつ、結晶化温度が低いので、保形性が良好である。容器及び菓子の保形性が向上する。なお、他の材料を混合してもよい。
【発明の効果】
【００１２】
本発明によると、容器内面に剥離層が積層されているので、焼菓子を容器から容易に剥離することができる。また、剥離層が設けられていない非剥離部分に焼菓子が付着するので、焼き工程後の低温化によるしぼみを防止することができる。このように、本発明の食品用容器は、剥離性の向上としぼみ防止とを同時に実現することができる。
【発明を実施するための最良の形態】
【００１３】
以下、本発明の食品用容器を図面に基づいて説明する。図１は本実施形態の食品用容器の斜視図、図２はＡ−Ａ断面図である。
【００１４】
本実施形態の食品用容器１は、図２に示すように、容器状のカップ基材２の内面に部分的に剥離層３が設けられ、カップ基材２の外表面の全体に保形層４が積層されてなる。カップ基材２と剥離層３と保形層４とを積層させるには、押出ラミネート法、コーティング法、接着剤で貼着させる方法等のいずれの方法をとってもよく、またこれらを組み合わせてもよい。
【００１５】
カップ基材２は、純白紙、クラフト紙、グラシン紙、アルミ箔、合成樹脂等を用いる。なお、単層構造である必要はなく、同一又は他の材質のものと積層させてもよい。
【００１６】
剥離層３は、菓子等の収容される食品と剥離層表面とがはがれやすい性質を持つ層であって、ＰＢＴが用いられる。層の厚みは、約１８ミクロンとされる。この剥離層がカップ基材の内面に部分的に設けられる。なお、剥離層３は、ＰＢＴに他の材料を配合してもよい。
【００１７】
保形層４は、熱安定性及び耐熱性の良好な性質を持つ層であって、ＰＢＴが用いられる。層の厚みは、約１８ミクロンとされる。この保形層がカップ基材の外面の全体に積層される。なお、保形層４は、ＰＢＴに他の材料を配合してもよい。
【００１８】
製法を以下に説明するが、これに限定されるものではない。まず、図３に示すように、カップ基材２の素材である純白紙の外面となる側に、ＰＢＴフィルムを重ね、熱圧ロール５の間を通過させて押出ラミネートする。この行程により、純白紙の外面となる側の全体にＰＢＴからなる保形層４が積層される。次に、このラミネートされたシートを走行させ、純白紙の内面となる側に、液状のＰＢＴを間欠的に滴下し、乾燥させる。ＰＢＴを間欠的に滴下する態様としては、図４に示すように、例えば、縞状にしてもよいし（ａ）、水玉状にしてもよい（ｂ）が、これに限定されるものではない。この行程により、純白紙の内面となる側にＰＢＴからなる剥離層３が部分的に積層される。なお、保形層４の形成よりも先に剥離層の形成をしてもよい。
【００１９】
次に、このシートを食品用容器の展開形状である円形に打ち抜く。この打ち抜いた円形シートを、剥離層３が内面側となるように、金型に当て押し込む。金型により、シート中央部にほぼ円形の底部が形成され、その底部の周辺の側面をひだ状に折り畳むことにより、図１のような食品用容器１が形成される。
【００２０】
以上の構成によると、容器内面に剥離層３が設けられているので、菓子と容器とがはがれやすい。したがって、菓子の形状をくずさないまま容易に容器から取り出すことができる。
【００２１】
また、剥離層３は容器内面に部分的に設けられており、非剥離部分６が存在する。この非剥離部分６に菓子が付着するので、加熱調理により膨らんだ菓子が低温化によりしぼもうとしても、菓子の表面と非剥離部分６とが固定されているのでしぼみにくい。そして、室温まで菓子の温度が下がればそれ以上はほとんどしぼまないので、容器から取り出した後も膨らんだ状態で菓子を保つことができる。
【００２２】
このように、本加熱加工食品用容器１は、菓子との好剥離性を有するとともに、加熱調理後のしぼみを防止することができる。
【図面の簡単な説明】
【００２３】
【図１】本実施形態の食品用容器の斜視図
【図２】同じく食品用容器の断面図
【図３】製造工程の一部を示す概略図
【図４】製造工程の一部を示す概略図
【符号の説明】
【００２４】
１    食品用容器
２    カップ基材
３    剥離層
４    保形層
５    熱圧ロール
６    非剥離部分
【図１】
2007050917.tif 000003
【図２】
2007050917.tif 000004
【図３】
2007050917.tif 000005
【図４】
2007050917.tif 000006